(57)【要約】【課題】送信電力の増加が連続して指示されたことによる、端末のスループットの減少を抑制する。【解決手段】基地局装置は、上り方向の送信電力の増加を指示する電力制御情報が連続して端末に送信された回数が閾値以上であり、かつ、送信電力の増加量が基準増加量以上であると判別すると、上り方向のスループットが基準減少値よりも小さいかどうかを判別する。そして、スループットが基準減少値よりも小さいと判別すると、端末に対する電力制御情報の送信を一定時間停止する。【選択図】図１
2010166497.tif 000002
【特許請求の範囲】
【請求項１】
端末からデータを送信するときの送信電力を制御する基地局装置であって、
前記端末に対して前記送信電力の増加または減少を指示する電力制御情報を送信する送信部と、
前記送信電力の増加を指示する電力制御情報が連続して送信された回数が閾値以上であるかどうかを判別し、前記電力制御情報が指示する送信電力の増加量が所定の基準増加量以上であるかどうかを判別するＡＧ変動検知部と、
前記端末から当該基地局装置への上り方向のデータのスループットを算出するとともに、前記送信電力の増加を指示する電力制御情報が連続して送信された回数が前記閾値以上であり、かつ、前記電力制御情報が指示する送信電力の増加量が所定の基準増加量以上であると前記ＡＧ変動検知部が判別した場合、該上り方向のスループットの減少値が所定の基準減少値よりも大きいかどうかを判別するスループット確認部と、
前記スループット確認部が前記スループットの減少値が前記基準減少値よりも大きいと判別した場合、前記電力制御情報の送信を一定時間停止する送信停止部とを有する基地局装置。
【請求項２】
請求項１記載の基地局装置において、
前記送信部は、前記送信停止部が前記電力制御情報の送信を停止してから前記一定時間が経過した場合、前記端末に対する前記電力制御情報の送信を再開することを特徴とする基地局装置。
【請求項３】
請求項１または２記載の基地局装置において、
前記送信部は、前記端末に対して前記送信電力の増加または減少を指示する電力制御情報を周期的に送信し、
前記スループット確認部は、前記電力制御情報が送信されるごとに前記端末から当該基地局装置への上り方向のデータのスループットを算出することを特徴とする基地局装置。
【請求項４】
端末から基地局装置への上り方向にデータを送信するときの送信電力を制御する端末送信電力制御方法であって、
前記端末に対して前記送信電力の増加または減少を指示する電力制御情報を送信する送信処理と、
前記送信電力の増加を指示する電力制御情報が連続して送信された回数が閾値以上であるかどうかを判別し、前記電力制御情報が指示する送信電力の増加量が所定の基準増加量以上であるかどうかを判別するＡＧ変動検知処理と、
前記上り方向のデータのスループットを算出するとともに、前記送信電力の増加を指示する電力制御情報が連続して送信された回数が前記閾値以上であり、かつ、前記電力制御情報が指示する送信電力の増加量が所定の基準増加量以上であると前記ＡＧ変動検知処理にて判別した場合、該上り方向のスループットの減少値が所定の基準減少値よりも大きいかどうかを判別するスループット確認処理と、
前記スループット確認処理にて前記スループットの減少値が前記基準減少値よりも大きいと判別した場合、前記電力制御情報の送信を一定時間停止する送信停止処理とを有する端末送信電力制御方法。
【請求項５】
請求項４記載の端末送信電力制御方法において、
前記送信処理では、前記送信停止処理にて前記電力制御情報の送信を停止してから前記一定時間が経過した場合、前記端末に対する前記電力制御情報の送信を再開することを特徴とする端末送信電力制御方法。
【請求項６】
請求項４または５記載の端末送信電力制御方法において、
前記送信処理では、前記端末に対して前記送信電力の増加または減少を指示する電力制御情報を周期的に送信し、
前記スループット確認処理では、前記電力制御情報が送信されるごとに前記端末から当該基地局装置への上り方向のデータのスループットを算出することを特徴とする端末送信電力制御方法。
【請求項７】
端末からデータを送信するときの送信電力を制御する基地局装置に、
前記端末に対して前記送信電力の増加または減少を指示する電力制御情報を送信する送信手順と、
前記送信電力の増加を指示する電力制御情報が連続して送信された回数が閾値以上であるかどうかを判別し、前記電力制御情報が指示する送信電力の増加量が所定の基準増加量以上であるかどうかを判別するＡＧ変動検知手順と、
前記端末から当該基地局装置への上り方向のデータのスループットを算出するとともに、前記送信電力の増加を指示する電力制御情報が連続して送信された回数が前記閾値以上であり、かつ、前記電力制御情報が指示する送信電力の増加量が所定の基準増加量以上であると前記ＡＧ変動検知手順にて判別した場合、該上り方向のスループットの減少値が所定の基準減少値よりも大きいかどうかを判別するスループット確認手順と、
前記スループット確認手順にて前記スループットの減少値が前記基準減少値よりも大きいと判別した場合、前記電力制御情報の送信を一定時間停止する送信停止手順とを実行させるプログラム。
【発明の詳細な説明】
【技術分野】
【０００１】
本発明は、基地局装置、端末送信電力制御方法およびプログラムに関する。
【背景技術】
【０００２】
近年、第３〜３.５世代移動通信システムで用いられている、基地局装置から端末への下り方向（ダウンリンク）の大容量高速パケットデータ転送（最大約１４Ｍｂｐｓのスループット）を提供するＨＳＤＰＡ（High Speed Downlink Packet Access）方式に従って動作するＷ−ＣＤＭＡ（Wideband Code Division Multiple Access；広帯域符号分割多元接続）装置が運用されている。
【０００３】
また、このＨＳＤＰＡを補完する技術として、上り方向（アップリンク）の大容量高速パケットデータ転送（上りの通信速度を5.8Mbpsに高速化）を提供するＨＳＵＰＡ（High Speed Uplink Packet Access）も規定されている。
【０００４】
このＨＳＵＰＡでは、基地局装置は、端末からのデータパケットを効率良く受信できるようスケジューリングを行う。
【０００５】
スケジューリングを行っている間、基地局装置は、端末に対して、下り回線の制御信号である「Ｒａｔｅ  Ｇｒａｎｔ」にてAbsolute Grant （以下、「ＡＧ」という）を周期的に送信する。すると、端末は、前回の送信電力値からＡＧで指定した電力（以下、「ＡＧ値」という）だけ電力（後述するＰallow）を増減させる。これにより、基地局装置は、ＨＳＵＰＡ呼の最大レートを制御している。
【０００６】
また、このように基地局装置が端末へ送信電力を許可する構成にて、基地局装置から許可された送信電力よりもさらに大きな送信電力を端末から基地局装置へ要求する技術が考えられている（例えば、特許文献１参照。）
【先行技術文献】
【特許文献】
【０００７】
【特許文献１】特開２００８−１９９１５７号公報
【発明の概要】
【発明が解決しようとする課題】
【０００８】
ＡＧ値を用いて端末の送信電力を制御する一般的な技術においては、端末は、基地局装置から使用を許可された上り電力（以下、Ｐallowという）から、ＤＰＤＣＨ（Dedicated Physical Data Channel）およびＥ−ＤＰＣＣＨ（Enhanced Dedicated Physical Control Channel）それぞれの電力を差し引いた残りの電力（以下、Ｐremainという）を、Ｅ−ＤＰＤＣＨ（E-DCH（Enhanced-Dedicated Channel） Dedicated Physical Data Channel） （以下、「ＨＳＵＰＡ呼」という）の送信電力として割り当てている。
【０００９】
端末は、Ｅ−ＤＰＤＣＨの送信電力として割り当てられる電力Ｐremainが大きな場合、ＨＳＵＰＡ呼のスループットを大きくできる可能性がある。
【００１０】
なお、基地局装置においてＨＳＵＰＡ呼に割り当てられる送信電力は、AGの値で増減する。Air環境が改善した場合などにおいてはＨＳＵＰＡ呼の最大レートが増加可能となるため、基地局装置が、特定の端末に対して、増加幅の大きいAG値を複数回連続して送信することも可能となる。
【００１１】
しかしながら、このような場合、増加幅の大きいAG値を連続受信した特定の端末ではＨＳＵＰＡ呼の送信電力値が急に増加するものの、それ以外の他の端末に対する干渉量も急に増加してしまう。
【００１２】
他の端末がDPDCH呼の場合、(送信電力制御により)その上り送信電力値が急に増加する事となり、今度は、ＨＳＵＰＡにとっての干渉となってしまう。そして、結果的に、AG値が減少し、ＨＳＵＰＡ呼の電力Premainが低下する事となるので、ＨＳＵＰＡ呼のスループットが減少する事となってしまう。
【００１３】
本発明は、上述した課題を解決する基地局装置、端末送信電力制御方法およびプログラムを提供することを目的とする。
【課題を解決するための手段】
【００１４】
上記課題を解決するために、本発明の基地局装置は、端末からデータを送信するときの送信電力を制御する基地局装置であって、前記端末に対して前記送信電力の増加または減少を指示する電力制御情報を送信する送信部と、前記送信電力の増加を指示する電力制御情報が連続して送信された回数が閾値以上であるかどうかを判別し、前記電力制御情報が指示する送信電力の増加量が所定の基準増加量以上であるかどうかを判別するＡＧ変動検知部と、前記端末から当該基地局装置への上り方向のデータのスループットを算出するとともに、前記送信電力の増加を指示する電力制御情報が連続して送信された回数が前記閾値以上であり、かつ、前記電力制御情報が指示する送信電力の増加量が所定の基準増加量以上であると前記ＡＧ変動検知部が判別した場合、該上り方向のスループットの減少値が所定の基準減少値よりも大きいかどうかを判別するスループット確認部と、前記スループット確認部が前記スループットの減少値が前記基準減少値よりも大きいと判別した場合、前記電力制御情報の送信を一定時間停止する送信停止部とを有する。
【００１５】
上記課題を解決するために、本発明の端末送信電力制御方法は、端末から基地局装置への上り方向にデータを送信するときの送信電力を制御する端末送信電力制御方法であって、前記端末に対して前記送信電力の増加または減少を指示する電力制御情報を送信する送信処理と、前記送信電力の増加を指示する電力制御情報が連続して送信された回数が閾値以上であるかどうかを判別し、前記電力制御情報が指示する送信電力の増加量が所定の基準増加量以上であるかどうかを判別するＡＧ変動検知処理と、前記上り方向のデータのスループットを算出するとともに、前記送信電力の増加を指示する電力制御情報が連続して送信された回数が前記閾値以上であり、かつ、前記電力制御情報が指示する送信電力の増加量が所定の基準増加量以上であると前記ＡＧ変動検知処理にて判別した場合、該上り方向のスループットの減少値が所定の基準減少値よりも大きいかどうかを判別するスループット確認処理と、前記スループット確認処理にて前記スループットの減少値が前記基準減少値よりも大きいと判別した場合、前記電力制御情報の送信を一定時間停止する送信停止処理とを有する。
【００１６】
また、コンピュータに実行させるプログラムであって、端末からデータを送信するときの送信電力を制御する基地局装置に、前記端末に対して前記送信電力の増加または減少を指示する電力制御情報を送信する送信手順と、前記送信電力の増加を指示する電力制御情報が連続して送信された回数が閾値以上であるかどうかを判別し、前記電力制御情報が指示する送信電力の増加量が所定の基準増加量以上であるかどうかを判別するＡＧ変動検知手順と、前記端末から当該基地局装置への上り方向のデータのスループットを算出するとともに、前記送信電力の増加を指示する電力制御情報が連続して送信された回数が前記閾値以上であり、かつ、前記電力制御情報が指示する送信電力の増加量が所定の基準増加量以上であると前記ＡＧ変動検知手順にて判別した場合、該上り方向のスループットの減少値が所定の基準減少値よりも大きいかどうかを判別するスループット確認手順と、前記スループット確認手順にて前記スループットの減少値が前記基準減少値よりも大きいと判別した場合、前記電力制御情報の送信を一定時間停止する送信停止手順とを実行させる。
【発明の効果】
【００１７】
本発明によれば、ＨＳＵＰＡ呼の送信電力の増加を指示するＡＧ値が連続して端末に送信された回数が閾値以上である場合、送信電力の増加量が基準増加量以上であるにもかかわらず、ＨＳＵＰＡ呼のスループットが基準減少値よりも小さいことを検知すると、端末に対するAG値の送信を一定時間停止する。
【００１８】
このような構成としたため、送信電力の増加が端末に対して基地局装置から連続して指示されたことによる、端末の上り方向に対するスループットの減少を抑制することができる。
【図面の簡単な説明】
【００１９】
【図１】本発明の実施形態に従った基地局装置の構成を示す図である。
【図２】基地局が、ＡＧ値の増加およびスループットの低下の判別結果に基づいて、ＡＧ値の送信を一定時間停止する動作を示すシーケンス図である。
【発明を実施するための形態】
【００２０】
以下、本発明の実施形態に従った基地局装置（端末送信電力制御方法およびプログラムを含む）を説明する。
【００２１】
まず、本発明の実施形態に従った基地局装置１の構成について説明する。
【００２２】
図１に示すように、本基地局装置１は、スケジューリング部１１と、AG変動検知部１２と、ＨＳＵＰＡ呼スループット確認部１３と、AG送信停止部１４とから構成されている。
【００２３】
スケジューリング部１１は、端末（図示せず）からのデータパケットを効率良く受信できるよう、当該端末（図示せず）にタイムスロットを配分するためのスケジューリングを周期的に実行する。
【００２４】
また、スケジューリング部１１は、スケジューリングの際、端末が上り方向へデータを送信するときの送信電力の増加または減少を指示する「電力制御情報」として、AG値を決定する。スケジューリングの実行およびＡＧ値の決定方法は、一般的な方法でよい。
【００２５】
また、スケジューリング部１１は、端末（図示せず）に対して、決定したＡＧ値を送信する「送信部」の役割も果たす。
【００２６】
さらに、スケジューリング部１１は、決定したAG値を、AG変動検知部１２およびＨＳＵＰＡ呼スループット確認部１３へ通知する。
【００２７】
AG変動検知部１２は、スケジューリング部１１から周期的にAG値が通知されるごとに、送信電力の増加を指示するAG値が連続して送信された回数が閾値以上であるかどうかを判別する。
【００２８】
つまり、AG変動検知部１２は、以下の式１に示す関係を満たすかどうか（α周期前から今回まで通知されたＡＧ値それぞれが連続して送信電力の増加を指示しているかどうか）を判別する。
【００２９】
【数１】
2010166497.tif 000003
【００３０】
なお、式１において、ＡＧ（α）は最も新しく通知されたAG値であり、ＡＧ（α−１）は１周期前に通知されたＡＧ値であり、ＡＧ（０）はα周期前に通知されたＡＧ値である。また、閾値αは、任意の値でよい。
【００３１】
また、AG変動検知部１２は、スケジューリング部１１から周期的にAG値ＡＧ（α）が周期的に通知されるごとに、ＨＳＵＰＡ呼のAG値ＡＧ（α）が指示する送信電力の増加量が所定の基準増加量β以上であるかどうかを判別する。
【００３２】
より具体的には、AG変動検知部１２は、以下の式２に示す関係を満たすかどうかを判別する。
【００３３】
【数２】
2010166497.tif 000004
【００３４】
なお、所定の基準増加量βは、任意の値でよい。
【００３５】
スケジューリング部１１から最後に通知されたＡＧ値ＡＧ（α）が上述した式１と式２との両方を満たしている場合、AG変動検知部１２は、α周期前から今回までに通知されたＡＧ値が連続して増加を指示しており、かつ、ＡＧ値が指示する送信電力の増加量が一定以上であることを検知した旨を示す第１検知信号を、ＨＳＵＰＡ呼スループット確認部１３およびAG送信停止部１４へ出力する。
【００３６】
ＨＳＵＰＡ呼スループット確認部１３は、「スループット確認部」である。
【００３７】
ＨＳＵＰＡ呼スループット確認部１３は、スケジューリング部１１からAG値が周期的に通知されるごとに、該通知された時点でのＨＳＵＰＡ呼のスループットＴＨを算出して、該スループットＴＨを記憶部（図示せず）に書込む。記憶部（図示せず）は、書き込まれたスループットの履歴情報を記憶する。
【００３８】
また、ＨＳＵＰＡ呼スループット確認部１３は、第１検知信号がAG変動検知部１２から出力された場合、ＡＧ（α）が通知された際に算出したスループットＴＨ（α）の減少値（減少幅）が所定の基準減少値（減少幅）よりも大きいかどうかを判別する。
【００３９】
なお、スループットＴＨ（α）の減少値（減少幅）が所定の基準減少値（減少幅）よりも大きいかどうかを判別するため、本実施形態では、ＨＳＵＰＡ呼スループット確認部１３は、ＡＧ（α）が通知された際に算出したスループットＴＨ（α）から、ＡＧ（α）の通知時よりγ周期前に算出したスループットＴＨ（α−γ）を減算して得られた差分が所定値θよりも小さいかどうかを判別する。
【００４０】
つまり、ＨＳＵＰＡ呼スループット確認部１３は、以下の式３に示す関係を満たすかどうかを判別する。なお、ＨＳＵＰＡ呼スループット確認部１３は、記憶部（図示せず）が記憶している履歴情報に基づいて、この判別を行う。
【００４１】
【数３】
2010166497.tif 000005
【００４２】
なお、式３において、ＴＰ（α）は、ＡＧ（α）がスケジューリング部１１から通知された際に算出したＨＳＵＰＡ呼のスループットである。また、ＴＰ（α−γ）は、ＡＧ（α−γ）がスケジューリング部１１から通知された際に算出したＨＳＵＰＡ呼のスループットである。
【００４３】
なお、γおよび所定値θそれぞれは、任意の値でよい。
【００４４】
ＨＳＵＰＡ呼スループット確認部１３は、ＡＧ（α）の通知時に算出したスループットＴＨ（α）が式３に示す関係を満たしている場合、最新のスループットＴＨ（α）がγ周期前のスループットＴＨ（α−γ）と比較した減少量が所定値θよりも小さい旨を示す第２検知信号を、AG送信停止部１４へ出力する。
【００４５】
AG送信停止部１４は、第１検知信号がAG変動検知部１２から出力されて、かつ、第２検知信号がＨＳＵＰＡ呼スループット確認部１３から出力された場合、一定時間ζの間、端末（図示せず）に対するAG値の送信を停止する。
【００４６】
なお、ＡＧ送信停止部１４がＡＧ値の送信を停止してから一定時間ζが経過した場合、スケジューリング部１１は、端末（図示せず）に対するＡＧ値の送信を再開する。
【００４７】
つぎに、上記構成を有する基地局装置１が、ＡＧ値の増加指示回数とＡＧ値が指示する送信電力の増加量とスループットの減少量とに基づいて、端末（図示せず）に対するＡＧ値の送信を一定時間停止する動作について、図２を参照して説明する。
【００４８】
スケジューリング部１１は、スケジューリングを周期的に実行することで、AG値を周期的に決定する。そして、スケジューリング部１１は、決定したＡＧ値ＡＧ（α）を端末（図示せず）へ周期的に送信する。
【００４９】
また、図２に示すように、ステップ２１にて、スケジューリング部１１は、決定したAG値ＡＧ（α）を、AG変動検知部１２およびＨＳＵＰＡ呼スループット確認部１３に通知する。
【００５０】
すると、ステップ２２にて、ＨＳＵＰＡ呼スループット確認部１３は、AG変動検知部１２から周期的にAG値ＡＧ（α）が通知されるたびに、その時点でのＨＳＵＰＡ呼のスループットＴＨ（α）を算出する。そして、該スループットＴＨを記憶部（図示せず）に書込む。記憶部（図示せず）は、書き込まれたスループットの履歴情報を記憶する。
【００５１】
一方、スケジューリング部１１からAG値ＡＧ（α）が通知されると、ステップ２３にて、AG変動検知部１２は、送信電力の増加を指示するAG値が連続して送信された回数が閾値α以上であるかどうかを判別する。つまり、AG変動検知部１２は、式１に示した関係を満たすかどうか（α周期前から今回まで通知されたＡＧ値それぞれが連続して送信電力の増加を指示しているかどうか）を判別する。
【００５２】
ステップ２３にて式１に示した関係を満たすと判別した場合、ステップ２４にて、AG変動検知部１２は、通知されたAG値ＡＧ（α）が指示する送信電力の増加量が所定の基準増加量β以上であるかどうかを判別する。つまり、AG変動検知部１２は、式２に示した関係を満たすかどうかを検知する。
【００５３】
上述した式１と式２との両方を満たすことを検知した場合、AG変動検知部１２は、α周期前から今回までに通知された各ＡＧ値が連続して増加を指示しており、かつ、ＡＧ値ＡＧ（α）が指示する送信電力の増加量が一定以上であることを検知した旨を示す第１検知信号を、ＨＳＵＰＡ呼スループット確認部１３およびAG送信停止部１４へ出力する。
【００５４】
すると、ステップ２５にて、ＨＳＵＰＡ呼スループット確認部１３は、ＡＧ（α）が通知された際にステップ２２にて算出したスループットＴＨ（α）の減少値（減少幅）が所定の基準減少値（減少幅）よりも大きいかどうかを判別する。
【００５５】
本実施形態では、ＨＳＵＰＡ呼スループット確認部１３は、スループットＴＨ（α）から、ＡＧ（α）の通知時よりγ周期前に算出したスループットＴＨ（α−γ）を減算して得られたスループットの減少量が所定値θよりも小さいかどうかを判別する。つまり、ＨＳＵＰＡ呼スループット確認部１３は、スループットＴＨ（α）が式３に示した関係を満たすかどうかを判別する。
【００５６】
該判別により、式３に示した関係を満たすと判別した場合、ＨＳＵＰＡ呼スループット確認部１３は、最新のスループットＴＨ（α）がγ周期前のスループットＴＨ（α−γ）と比較した減少量が所定値θよりも小さい旨を示す第２検知信号をAG送信停止部１４へ出力する。
【００５７】
AG送信停止部１４は、第１検知信号がAG変動検知部１２から出力されて、かつ、第２検知信号がＨＳＵＰＡ呼スループット確認部１３から出力された場合、一定時間ζの間、端末（図示せず）に対するAG値の送信を停止する。
【００５８】
なお、ＡＧ送信停止部１４がＡＧ値の送信を停止してから一定時間ζが経過した場合、スケジューリング部１１は、端末（図示せず）に対するＡＧ値の送信を再開する。
【００５９】
なお、基地局装置１は、上述したステップ２１〜ステップ２６の処理を、周期的に繰り返し実行する。
【００６０】
以上説明したように、本発明の実施形態によれば、基地局装置１から端末に対してＨＳＵＰＡ呼のAG値の急激な増加が許可されてしまった場合でも、ＨＳＵＰＡ呼のスループットの減少を抑制することができる。
【００６１】
そのため、端末が、ＨＳＵＰＡ呼のスループットが一定以下となった場合に共通チャネルやDPDCHにシフトダウンする移動通信装置で構成されている場合でも、共通チャネルやDPDCHにシフトダウンしてしまうことを回避でき、ひいてはＨＳＵＰＡ呼を維持することが可能となる。
【００６２】
なお、本発明においては、基地局装置１内の処理は上述の専用のハードウェアにより実現されるもの以外に、その機能を実現するためのプログラムを基地局装置１にて読取可能な記録媒体に記録し、この記録媒体に記録されたプログラムを基地局装置１に読み込ませ、実行するものであってもよい。基地局装置１にて読取可能な記録媒体とは、フロッピーディスク（登録商標）、光磁気ディスク、ＤＶＤ、ＣＤなどの移設可能な記録媒体の他、基地局装置１に内蔵されたＨＤＤ等を指す。この記録媒体に記録されたプログラムは、例えば、基地局装置１が有するAG変動検知部１２、ＨＳＵＰＡ呼スループット確認部１３およびAG送信停止部１４にて読み込まれ、AG変動検知部１２、ＨＳＵＰＡ呼スループット確認部１３およびAG送信停止部１４の制御によって、上述したものと同様の処理が行われる。
【００６３】
ここで、基地局装置１が有するAG変動検知部１２、ＨＳＵＰＡ呼スループット確認部１３およびAG送信停止部１４は、プログラムが記録された記録媒体から読み込まれたプログラムを実行するコンピュータとして動作するものである。
【００６４】
以上、実施形態を参照して本発明を説明したが、本発明は上記実施形態に限定されるものではない。本発明の構成や詳細には、本発明の要旨を逸脱しない範囲で当業者が理解し得る各種の変形が可能である。
【符号の説明】
【００６５】
１  基地局装置
１１  スケジューリング部
１２  AG変動検知部
１３  ＨＳＵＰＡ呼スループット確認部
１４  AG送信停止部
【図１】
2010166497.tif 000006
【図２】
2010166497.tif 000007